(57)【要約】  【課題】  低価格であり、施工性に優れ、かつ必要に応じて適宜オゾン発生条件を設定することができる送風機及びこの送風機を組み込んだ浄化槽を提供することを目的とする。  【解決手段】  空気を吐出する送風機と、この送風機より送風された空気の流入口及び吐出口を有した空気流路と、この空気流路の途中に設けられたオゾン発生器とを備え、前記送風機、空気流路及びオゾン発生器が、１つの筐体に組み付けられた送風機。また、前記筐体が、オゾン発生器のオゾン発生状態を設定するコントローラを備えた送風機。  【選択図】  図２
2005058863.tif 000002
【特許請求の範囲】
【請求項１】
空気を吐出する送風機と、この送風機より送風された空気の流入口及び吐出口を有した空気流路と、この空気流路の途中に設けられたオゾン発生器とを備え、前記送風機、空気流路及びオゾン発生器が、１つの筐体に組み付けられた送風機。
【請求項２】
請求項１において、筐体が、オゾン発生器のオゾン発生状態を設定するコントローラを備えた送風機。
【請求項３】
請求項２において、コントローラが、現在時刻、オゾン発生器のオゾン発生時間、オゾン発生開始時刻、オゾン発生終了時刻、又は、単位時間当たりのオゾン発生量を設定する設定装置を備えた送風機。
【請求項４】
請求項２又は３において、コントローラが、オゾン発生器の稼働状態を表示する表示部を備えた送風機。
【請求項５】
請求項１乃至４のいずれかにおいて、空気流路の途中であってオゾン発生器よりも上流に空気供給先を切り替える電磁弁を備えた送風機。
【請求項６】
請求項５において、筐体に電磁弁の切り替え状態を設定する電磁弁コントローラが設置された送風機。
【請求項７】
請求項６において、電磁弁コントローラが、現在時刻、切替時間、切替開始時刻、又は、切替終了時刻を設定する設定装置を備えた送風機。
【請求項８】
請求項１乃至７のいずれかに記載される送風機を備えた浄化槽。
【発明の詳細な説明】
【技術分野】
【０００１】
本発明は、水槽等への空気供給に用いられる送風機であって、その空気に、自動的に所定の量を、所定の時刻に、所定の時間のあいだオゾンを含有させて、吐出させる送風機と、これを組み込んだ浄化槽に関する。
【背景技術】
【０００２】
従来、送風機とオゾン発生器とを組み合わせたものとしては、特開平９−１４０７７７号公報に示されている。この公報には、空気送風機と、この空気送風機から送られた空気中の酸素をオゾン化するオゾン発生器と、このオゾン発生器に接続されオゾンを含む空気を切削油中に放出するための散気装置とを備えた装置が記載されており、オゾンの殺菌力により切削油の防腐を行っている。
【０００３】
また、浄化槽としては、従来から種々のものがあり、例えば特許第２９０４１０２号公報に開示されている浄化槽は、上流から順に嫌気濾床（嫌気処理）槽、好気濾床（好気処理）槽、処理水槽、消毒槽を組み合わせた処理方式である。そして、好気濾床槽に設置された散気装置と送風機の吐出口とが接続され、送風機から吐出された空気は、散気装置から気泡となって汚水中に吐出される。汚水は、散気装置から吐出される気泡から酸素が溶解し、この酸素を利用して好気性菌が、有機物の分解、アンモニアの硝化等を行う。
【特許文献１】特開平９−１４０７７７号公報
【特許文献２】特許第２９０４１０２号公報
【発明の開示】
【発明が解決しようとする課題】
【０００４】
浄化槽には、流入汚水量、流入汚水濃度等の設定された負荷があるが、時には設定値以上の負荷がかかるケースがある。このような場合は、臭気が通常より多く発生するため、臭気低減の対応策の一つとして脱臭装置を設置する方法がある。脱臭装置の代表例としては、オゾン発生器（脱臭装置）があり、このオゾン発生器は送風機と浄化槽とのあいだに設置される。
【０００５】
しかしながら、脱臭装置を設置するには、送風機とオゾン発生器とを並べて設置するスペースが必要になり、更に、送風機及びオゾン発生器は、それぞれに電源が必要なため、電源増設も必要となって、施工性が悪い。
【０００６】
本発明は、低価格であり、施工性に優れ、かつ必要に応じて適宜オゾン発生条件を設定することができる送風機及びこの送風機を組み込んだ浄化槽を提供することを目的とする。
【課題を解決するための手段】
【０００７】
（１）本発明は、空気を吐出する送風機と、この送風機より送風された空気の流入口及び吐出口を有した空気流路と、この空気流路の途中に設けられたオゾン発生器とを備え、前記送風機、空気流路及びオゾン発生器が、１つの筐体に組み付けられた送風機。
【０００８】
（２）項（１）において筐体が、オゾン発生器のオゾン発生状態を設定するコントローラを備えた送風機。
【０００９】
（３）項（２）において、コントローラが、現在時刻、オゾン発生器のオゾン発生時間、オゾン発生開始時刻、オゾン発生終了時刻、又は、単位時間当たりのオゾン発生量を設定する設定装置を備えた送風機。
【００１０】
（４）項（２）又は（３）において、コントローラが、オゾン発生器の稼働状態を表示する表示部を備えた送風機。
【００１１】
（５）項（１）乃至（４）のいずれかにおいて、空気流路の途中であってオゾン発生器よりも上流に空気供給先を切り替える電磁弁を備えた送風機。
【００１２】
（６）項（５）において、筐体に電磁弁の切り替え状態を設定する電磁弁コントローラが設置された送風機。
【００１３】
（７）項（６）において、電磁弁コントローラが、現在時刻、切替時間、切替開始時刻、又は、切替終了時刻を設定する設定装置を備えた送風機。
【００１４】
（８）項（１）乃至（７）のいずれかに記載される送風機を備えた浄化槽。
【発明の効果】
【００１５】
本発明によれば、送風機にオゾン発生器を内蔵したため、設置スペース、電源とも従来と同じ仕様であり、施工性に優れる。
【００１６】
また、送風機を備えた浄化槽では、酸素溶解効率の向上、脱臭効果が見込め、特に、好気濾床（好気処理）槽が生物反応部と濾過部に分かれているタイプでは、空気配管系路が、生物反応部のばっ気用散気装置と濾過部の逆洗用散気装置と２系列に分かれているが、本発明品を用いれば、従来と同じ施工方法で施工を行うことができ、施工性に優れる。電磁弁の切替条件もオゾン発生条件の設定と同じ操作方法でできるので、操作性に優れる。
【００１７】
更に、コントローラとリモート設定装置が無線通信で接続できるタイプにおいては、たとえば複数の浄化槽における送風機の電磁弁用コントローラやオゾン発生器用コントローラを１台のリモート設定装置で設定することができ、便利で経済的である。
【発明を実施するための最良の形態】
【００１８】
本発明の送風機は、オゾン発生器を備えるものであり、オゾン発生器が、空気流路の途中に設けるようにしている。これは、オゾンにより機器が腐食するのを最小限に留めるための措置であり、製品寿命を長期化することができる。
【実施例１】
【００１９】
図１は本発明の一例の送風機の側面図、図２は図１に示す送風機の概略構成図である。図３は図１に示す送風機の空気流路に取り付けられているオゾン発生器の平面図である。
図１乃至３に示すように、送風機本体１には、オゾン発生器用コントローラ５と、オゾン発生器３（図１では内蔵されているため点線で図示）と空気流路６が一体に組み付けられている。なお、送風機本体１の上部には、外気を吸入する外気吸入口（図示略）を覆うフィルター（図示略）を固定するフィルターカバー３１も一体に組み付けられている。
【００２０】
送風機本体１は、本発明においては、限定されるものではなく、通常の送風機、例えば電磁石と永久磁石との磁気的相互作用に基づく、前記永久磁石を備えた振動子の電磁振動によって、前記振動子に連結されたダイヤフラムを駆動させ、空気を吸引したのち吐出させるようにした容積式送風機等を用いることができる。
【００２１】
オゾン発生器３の空気流路６内の取り付け位置は限定しないが、好ましくは吐出口４に近い位置に設置する。これは、オゾンの酸化作用による部品の劣化を防ぐためである。例えば図３に示すように、オゾン発生器３を空気流路６に取り付け、オゾン発生器３の出口と吐出口４を直結すれば、この間に部品はないので劣化の心配はない。また、コンパクトに収まるので、外観上は従来品と同じ外形寸法となる。
【００２２】
空気の流れを説明する（図中の矢印は空気の流れを示す）。空気は、送風機本体１の外気吸入口から取り入れられ、送風機本体１を経て吐出される。そして、空気流路６の入口２を経てオゾン発生器３へ流れる。オゾン発生器３にて発生したオゾンを含んだ空気は、吐出口４を経て放出される。
【００２３】
この時のオゾン発生量（濃度）は、オゾン発生器用コントローラ５にて調整可能である。オゾン発生器用コントローラ５には、オゾン発生量調整ダイヤル７が付いており、この調整ダイヤル７を回すことにより調整する。また、オゾン発生器用コントローラ５には、オゾン発生器３の稼動状況を知らせる発光ダイオード８が付いており、オゾン発生器３が運転中には発光ダイオード８が点灯、運転停止時には消灯、故障等の異常時には点滅するようになっている。
【実施例２】
【００２４】
図４に示すのは、図１に示すオゾン発生量調整ダイヤルと発光ダイオードに代えて、デジタル表示を可能とした例である。この場合、液晶表示部５１は、オゾン発生器が運転中には（ＯＮ）、運転停止時には（ＯＦＦ）、異常時には（Ｅ）のエラーマークを表示させる。オゾン発生量は、まずモード選択ボタン５２にて、オゾン発生量調整モードにして、発生量を液晶表示させ、発生量の増減をＵＰ−ＤＯＷＮボタン５３により調整する。
【００２５】
また、オゾン発生時間を設定することも可能である。オゾンは、２４時間連続で発生させてもよいが、省エネのためにある時間だけ発生させることが望ましい。本発明の一例として図４を用いて説明すると、オゾンを発生させたい時間帯が（４：００〜２３：００）だとすれば、まず液晶表示部５１で通常表示されている（現在時刻）を、モード選択ボタン５２にて、オゾン発生開始時刻モードにして、開始時刻を液晶表示させる。ＵＰ−ＤＯＷＮボタン５３により（４：００）に設定した後、モード選択ボタン５２にて、オゾン発生時間モードにして、発生時間を液晶表示させる。ＵＰ−ＤＯＷＮボタン５３により（１９：００）に設定する。（２３−４＝１９時間）。なお、他の例として、開始時刻に代えて終了時刻でもよく、また更に他の例として、発生時間に代えて終了時刻でもよい。
【実施例３】
【００２６】
また、本発明では、空気流路が分岐した吐出口（Ｐ及びＱ）をもつ場合でも好適に用いられる。図５は、分岐した吐出口をもつ空気流路６ａに、前記分岐した吐出口（Ｐ及びＱ）への空気供給先を切り換える電磁弁９とオゾン発生器３とが組み付けられている例である。
【００２７】
図５、６にて空気の流れを説明する。空気は前例と同様に、送風機本体１の外気吸入口から取り入れられ、送風機本体１を経て吐出される。そして、空気流路６ａの入口２を経て、電磁弁９の切替によって吐出口Ｐ又は吐出口Ｑのどちら一方に振り分けられる。吐出口Ｐにはオゾン発生器３が直結されているため、空気は発生したオゾンと混合して吐出口Pを経て放出される。このオゾンの発生条件の設定は、実施例２と同様である。
【００２８】
本実施例の場合、オゾン発生器３は吐出口Ｐに直結されているが、吐出口Ｑに直結されてもよく、また、吐出口Ｐ及びＱの両方に直結されてもよい。
電磁弁９による吐出口Ｐ又は吐出口Ｑへ振り分けは、電磁弁用コントローラ１０によって指示される。この電磁弁用コントローラ１０には、電磁弁の切替条件を設定する設定装置５０が具備されており、設定の一例を図４にて説明する。
【００２９】
通常空気は吐出口P側に流れているとする。吐出口Ｑ側に流したい時間帯が（３：００〜３：０５）だとすれば、まず液晶表示部５１で通常表示されている（現在時刻）を、モード選択ボタン５２にて、流路切替開始時刻モードにして、開始時刻を液晶表示させる。ＵＰ−ＤＯＷＮボタン５３により（３：００）に設定した後、モード選択ボタン５２にて、切替時間モードにして、切替時間を液晶表示させる。ＵＰ−ＤＯＷＮボタン５３により（０：０５）に設定する。（３：０５−３：００＝５分間）。なお、他の例として、開始時刻に代えて終了時刻でもよく、また更に他の例として、発生時間に代えて終了時刻でもよい。本実施例に示すように、電磁弁用コントローラ１０はオゾン発生器用コントローラ５と兼用可能であるが、別々でもよい。
【００３０】
また、電磁弁用コントローラ１０やオゾン発生器用コントローラ５の設定装置５０は、コントローラからの着脱が自在なリモート設定装置でもよい。リモート設定装置において、コントローラと設定装置とのあいだの各種信号の送受は、ケーブルによって行なわれているが、本発明においては、これに限定されるものではなく、無線化することもできる。コントローラに送受信部を備えるとともに、リモート設定装置にも送受信部を設け、相互間を通常の無線または光信号などの無線通信によって信号の送受を行なうこともできる。無線信号としては、たとえば赤外線などの光学式や電磁波を利用することができる。
【００３１】
以上述べたオゾン発生器内蔵型送風機は、図７に示すように、浄化槽用の送風機に好適に用いられる。通常の送風機に代えて本発明の送風機０を設置すると、浄化槽１１に内蔵された散気装置１２からオゾンと混合した気泡が吐出される。オゾンは水に溶けやすく、汚水に溶け込む際には酸素に変化する。このため、汚水中に高濃度で酸素を溶解できるため、汚水中の有機物の分解、アンモニアの硝化等に有効である。
【００３２】
また、汚水に溶けきれなかったオゾンは、汚水面から気中に放出される。オゾンには脱臭作用があるため、気中に存在する臭気成分を分解する。脱臭のみを目的とする場合には、送風機０を散気装置に接続せず、浄化槽１１の水面より上方に直接オゾンと混合した空気を吐出する。
【図面の簡単な説明】
【００３３】
【図１】本発明の一例の送風機の外観正面図。
【図２】図１に示す送風機の概略構成図。
【図３】オゾン発生器と空気流路の位置関係を示す図。
【図４】電磁弁用コントローラまたは、オゾン発生器用コントローラの拡大図。
【図５】オゾン発生器と電磁弁と空気流路の位置関係を示す図。
【図６】本発明の他例の送風機の概略構成図。
【図７】本発明の送風機と浄化槽の接続図。
【符号の説明】
【００３４】
０  送風機
１  送風機本体
２  入口
３  オゾン発生器
４  吐出口
５  オゾン発生器用コントローラ
６、６ａ  空気流路
７  オゾン発生量調整ダイヤル
８  発光ダイオード
９  電磁弁
１０  電磁弁用コントローラ
１１  浄化槽
１２  散気装置
３１  フィルターカバー
５０  設定装置
５１  液晶表示部
５２  モード選択ボタン
５３  ＵＰ−ＤＯＷＮボタン
【図１】
2005058863.tif 000003
【図２】
2005058863.tif 000004
【図３】
2005058863.tif 000005
【図４】
2005058863.tif 000006
【図５】
2005058863.tif 000007
【図６】
2005058863.tif 000008
【図７】
2005058863.tif 000009